(57)【要約】【課題】  十分な強度を保ちつつ、天板を薄型化することができるとともに、使用者の要望に応じて、天板や脚等をデザインの異なるものと容易に交換することができ、しかも構造が簡単で体裁のよいテーブルを提供する。【解決手段】  前後方向を向く１対の枠杆６、６の前端部同士および後端部同士を、左右方向を向く前後の枠杆７、７により互いに連結することにより平面視方形の枠体２を形成し、この枠体２を支持体５によりほぼ水平に支持し、かつ枠体２の上面に、前後方向および左右方向の寸法を枠体２より大とした天板１を取り付ける。【選択図】      図１
2005137709.tif 000002
【特許請求の範囲】
【請求項１】
前後方向を向く１対の枠杆の前端部同士および後端部同士を、左右方向を向く前後の枠杆により互いに連結することにより平面視方形の枠体を形成し、この枠体を支持体によりほぼ水平に支持し、かつ前記枠体の上面に、前後方向および左右方向の寸法を前記枠体より大とした天板を取り付けたことを特徴とするテーブル。
【請求項２】
支持体を、脚もしくは袖箱、またはその組み合わせよりなるものとした請求項１記載のテーブル。
【請求項３】
枠体の角部に、該角部から天板の角部に向かって外側方に延出する延出部を有するコーナー部材を嵌合して固着し、前記コーナー部材の延出部に、脚の上端部を固着した請求項１または２記載のテーブル。
【請求項４】
コーナー部材が、枠体の角部の上面に係合するとともに、該角部から外側方に向かって延出して延出部を形成する上面板と、この上面板より垂下し、かつ枠体の角部を形成する２側面に当接する垂下片とを備え、枠体の各角部における内隅部から外隅部に向かって枠体を貫通するボルトをもって、前記コーナー部材を枠体の角部に締着した請求項３記載のテーブル。
【請求項５】
コーナー部材における上面板の延出部の先端部下面に、脚の上端開口部に嵌合する差し込み部を設け、この差し込み部を、連結片を介して、垂下片の角部と連結した請求項４記載のテーブル。
【請求項６】
連結片に、枠体を貫通するボルトの先端部が螺合するねじ孔を設けた請求項５記載のテーブル。
【請求項７】
コーナー部材の垂下片とそれに対向する枠体の側面とのいずれか一方に係合孔を、かつ他方に、前記係合孔に嵌合する係合突片を設けた請求項４〜６のいずれかに記載のテーブル。
【請求項８】
袖箱の上面に、枠体の左右いずれかの側部を載置して、袖箱の上面と枠体とを互いに固着し、かつ袖箱の上方における枠体の角部に、該角部から天板の角部に向かって外側方に延出する延出部を有するコーナー部材を嵌合して固着し、前記コーナー部材の延出部により天板の角部を支持するようにした請求項１〜７のいずれかに記載のテーブル。
【請求項９】
コーナー部材が、枠体の角部の上面に係合するとともに、前記角部から外側方に向かって延出して延出部を形成する上面板と、この上面板より垂下し、かつ枠体の角部を形成する２側面に当接する垂下片とを備え、枠体の各角部における内隅部から外隅部に向かって枠体を貫通するボルトをもって、前記コーナー部材を枠体の角部に締着した請求項８記載のテーブル。
【請求項１０】
各コーナー部材における上面板を、各垂下片から直交する方向にも延出させることにより、手掛部を形成した請求項４およびそれに従属する５〜７、並びに９のいずれかに記載のテーブル。
【発明の詳細な説明】
【技術分野】
【０００１】
本発明は、オフィスの執務空間等において使用されるテーブル、特にその天板と、それを支持する枠体と、脚等の支持体との構造に関する。
【背景技術】
【０００２】
従来のこの種のテーブルには、天板の下面に支持脚を直接固着するもの（例えば特許文献１参照）や、複数の支持脚の上端部同士を連結杆または枠材をもって互いに連結して支持体を形成し、その上に天板を載置するようにしたもの（例えば特許文献２および３参照）等がある。
【特許文献１】特開平０８−２２４１３０号公報（図３）
【特許文献２】特開２０００−２４５５５３号公報（図１）
【特許文献３】特許第３３４７０８９号公報（図２）
【発明の開示】
【発明が解決しようとする課題】
【０００３】
上述の天板の下面に支持脚を直接固着するものでは、天板面の強度を天板のみに依存しているため、天板を薄くすることができず、しかも天板と支持脚との結合部分を強固にしなければならない。
【０００４】
支持脚と連結杆等とにより支持体を形成して、その上に天板を載置するものでは、支持脚が連結杆等と連結されて支持体の必須の構成要素となっているので、例えば、片方の２本の支持脚を袖箱と置換して、片袖机としたいような場合、支持脚を連結杆から簡単に外すことができず、支持体全体を設計し直さなければならず、上記のような変更を容易に行うことができない。
【０００５】
本発明は、従来の技術が有する上記のような問題点に鑑み、十分な強度を保ちつつ、天板を薄型化することができるとともに、使用者の要望に応じて、天板や脚等をデザインの異なるものと容易に交換することができ、しかも構造が簡単で体裁のよいテーブルを提供することを目的としている。
【課題を解決するための手段】
【０００６】
本発明によると、上記課題は、次のようにして解決される。
（１）前後方向を向く１対の枠杆の前端部同士および後端部同士を、左右方向を向く前後の枠杆により互いに連結することにより平面視方形の枠体を形成し、この枠体を支持体によりほぼ水平に支持し、かつ前記枠体の上面に、前後方向および左右方向の寸法を前記枠体より大とした天板を取り付ける。
【０００７】
（２）上記(１)項において、支持体を、脚もしくは袖箱、またはその組み合わせよりなるものとする。
【０００８】
（３）上記(１)または(２)項において、枠体の角部に、該角部から天板の角部に向かって外側方に延出する延出部を有するコーナー部材を嵌合して固着し、前記コーナー部材の延出部に、脚の上端部を固着する。
【０００９】
（４）上記(３)項において、コーナー部材が、枠体の角部の上面に係合するとともに、該角部から外側方に向かって延出して延出部を形成する上面板と、この上面板より垂下し、かつ枠体の角部を形成する２側面に当接する垂下片とを備え、枠体の各角部における内隅部から外隅部に向かって枠体を貫通するボルトをもって、前記コーナー部材を枠体の角部に締着する。
【００１０】
（５）上記(４)項において、コーナー部材における上面板の延出部の先端部下面に、脚の上端開口部に嵌合する差し込み部を設け、この差し込み部を、連結片を介して、垂下片の角部と連結する。
【００１１】
（６）上記(５)項において、連結片に、枠体を貫通するボルトの先端部が螺合するねじ孔を設ける。
【００１２】
（７）上記(４)〜(６)項のいずれかにおいて、コーナー部材の垂下片とそれに対向する枠体の側面とのいずれか一方に係合孔を、かつ他方に、前記係合孔に嵌合する係合突片を設ける。
【００１３】
（８）上記(１)〜(７)項のいずれかにおいて、袖箱の上面に、枠体の左右いずれかの側部を載置して、袖箱の上面と枠体とを互いに固着し、かつ袖箱の上方における枠体の角部に、該角部から天板の角部に向かって外側方に延出する延出部を有するコーナー部材を嵌合して固着し、前記コーナー部材の延出部により天板の角部を支持するようにする。
【００１４】
（９）上記(８)項において、コーナー部材が、枠体の角部の上面に係合するとともに、前記角部から外側方に向かって延出して延出部を形成する上面板と、この上面板より垂下し、かつ枠体の角部を形成する２側面に当接する垂下片とを備え、枠体の各角部における内隅部から外隅部に向かって枠体を貫通するボルトをもって、前記コーナー部材を枠体の角部に締着する。
【００１５】
（１０）上記(４)項およびそれに従属する(５)〜(７)項、並びに(９)項のいずれかにおいて、各コーナー部材における上面板を、各垂下片から直交する方向にも延出させることにより、手掛部を形成する。
【発明の効果】
【００１６】
本発明によると、次のような効果を奏することができる。
（ａ）請求項１記載の発明によると、天板が、４本の枠杆を口の字状に連結して形成した方形の枠体に取付けられているので、天板の剛性が枠体により確保され、天板の剛性を天板のみに頼っていた従来のものより、天板を著しく薄型化することができる。
また、枠体は、４本の枠杆を口の字状に連結することにより完成しているので、その枠体に対して、脚や袖箱等の支持体構成要素を、任意に選択して取付けることができ、それらの組み合わせの変更を簡単に行うことができる。
さらに、枠体は、前後左右の寸法が天板より小さいので、目立たず、体裁がよい。
【００１７】
（ｂ）請求項２記載の発明によると、支持体を、例えば４本の脚をもって構成したり、左右１対の袖箱をもって構成したり、または２本の脚と１個の袖箱の組み合わせにより構成したり、種々のバリエーションが可能である。
【００１８】
（ｃ）請求項３記載の発明によると、コーナー部材を介して脚を枠体に取付けるので、枠体に特別な加工を施すことなく、脚を枠体に簡単に取付けることができるとともに、脚を天板の角部の直下に配設することができ、天板を安定して支持することができる。
【００１９】
（ｄ）請求項４記載の発明によると、コーナー部材を、単一のボルトをもって枠体の角部に強固に、かつ体裁よく取付けることができる。
【００２０】
（ｅ）請求項５記載の発明によると、コーナー部材と脚との結合強度と、コーナー部材自体の強度とを高めることができる。
【００２１】
（ｆ）請求項６記載の発明によると、コーナー部材と枠体との結合強度を高めることができるとともに、ボルトの先端部が外部に露呈しないようにすることができ、体裁をよくすることができる。
【００２２】
（ｇ）請求項７記載の発明によると、コーナー部材と枠体との結合強度を高めることができるとともに、コーナー部材を枠体に組み付ける際のコーナー部材の位置決めを容易にすることができる。
【００２３】
（ｈ）請求項８記載の発明によると、袖箱により、枠体の一側部を強固に支持することができるとともに、枠体の角部にコーナー部材を取り付けて、その延出部で天板の角部を強力に支持することができ、しかも、コーナー部材を脚取付け用のコーナー部材と同様の形状として、デザインの統一を図ることができる。
【００２４】
（ｉ）請求項９記載の発明によると、袖箱側のコーナー部材を、脚取付け用のコーナー部材と同様に、上面板と垂下片とを備えるものとし、かつ枠体の角部を貫通するボルトをもって、枠体の角部に締着固定することにより、脚取付け用のコーナー部材とのデザインおよび取付け要領の統一を図ることができるとともに、袖箱側のコーナー部材をも、単一のボルトをもって枠体の角部に強固に、かつ体裁よく取付けることができる。
【００２５】
（ｊ）請求項１０記載の発明によると、コーナー部材の手掛部に手をかけてテーブルを持ち上げることができ、天板に直接手を掛けることがないようにしたので、さらに天板の薄型化を図ることができる。
【発明を実施するための最良の形態】
【００２６】
以下、本発明の一実施形態を、図面に基づいて説明する。
図１〜図３に示すように、左右方向に長い平面視方形の天板(１)の下方には、前後方向および左右方向の寸法を天板(１)より小とした平面視方形の枠体(２)が配設され、この枠体(２)は、右方の袖箱(３)と、左方の前後１対の脚(４)(４)とからなる支持体(５)により床面より所要高さにほぼ水平に支持され、その上面に、天板(１)がほぼ水平に取付けられている。
【００２７】
枠体(２)は、前後方向を向く左右１対の角管製の枠杆(６)(６)の前端部同士および後端部同士を、左右方向を向く前後１対の角管製の枠杆(７)(７)をもって互いに溶接して連結することによって形成されている。
【００２８】
左右の枠杆(６)(６)の上面には、円形孔(8a)の後部に後方を向く長孔(8b)が連設された前後２個ずつのだるま孔(８)(８)が、前後方向に間隔を置いて穿設されている。前後の枠杆(７)(７)の両側部には、袖箱(３)との連結用の２個ずつの連結孔(９)(９)が穿設されている。
【００２９】
また、左右の枠杆(６)(６)および前後の枠杆(７)(７)の上面には、図８に示すように、１個または複数個の前後方向に長い合成樹脂製の天板受け部材(10)が、その下端に設けた複数の係合爪(10a)を各枠杆(６)(７)の上面適所に穿設した取付孔(11)の縁に係合させることにより取付けられている。
【００３０】
図４〜図７に示すように、枠体(２)における各角部の内隅には、直角三角形の隅当て材(12)が固着され、この隅当て材(12)と枠体(２)の各角部とには、各角部の内隅部から外隅部に向かう一直線状の貫通孔(13)が穿設されている。
また、枠体(２)における各角部を挟む両側面には、横長の係合孔(14)が穿設されている。
【００３１】
枠体(２)における左側部の前後の角部と、右側部の前後の角部との外隅には、脚(４)連結用のコーナー部材(15)と、脚(４)非連結用のコーナー部材(16)とがそれぞれ嵌合されて固着されている。
【００３２】
両コーナー部材(15)(16)は、脚(４)の連結部分を除いてはほぼ同一の構造をなし、デザインの統一が図られている。
すなわち、両コーナー部材(15)(16)は、枠体(２)の角部の上面に係合するとともに、該角部からその外側の角度の２等分線の方向である外側方に向かって延出して延出部(17)を形成する上面板(18)と、この上面板(18)より垂下し、かつ枠体(２)の角部を形成する２側面に当接する垂下片(19)とを備えている。また、上面板を、延出部(17)の方向だけでなく、各垂下片(19)から直交する方向にも延出させることにより、手掛部(21)が形成されている。
必要に応じて、各垂下片(19)の下端より内方に向かって直角に折曲形成された短寸の内向き片(図示略)を設け、これを枠体(２)の周縁部の下面に係合させることにより、コーナー部材(15)(16)を枠体(２)により強固に係合するようにしてもよい。
【００３３】
脚(４)連結用のコーナー部材(15)における延出部(17)の先端には、平面視方形の脚取付部(17a)が形成されており、その下面には、角管とした脚(４)の上端開口部に嵌合するようにした差し込み部(22)が形成されている。延出部(17)の下面には、差し込み部(22)と垂下片(19)(19)の角部とを連結する連結片(23)が設けられ、この連結片(23)に、貫通孔(13)を通して枠体(２)の角部の内側から挿入されたボルト(24)の先端部が螺合するねじ孔(25)が設けられている。
【００３４】
脚(４)の上端部の一角部には、連結片(23)が嵌合するための切り欠き(26)が設けられている。
連結片(23)が切り欠き(26)に嵌合するようにして、差し込み部(22)を脚(４)の上端開口部に差し込み、その状態で、差し込み部(22)とその上方の脚取付部(17a)とを貫通させたボルト(27)により、差し込み部(22)と脚(４)とを螺締することにより、脚(４)はコーナー部材(15)に強固に結合されている。
【００３５】
また、コーナー部材(15)における脚取付部(17a)の上面には、ボルト(27)の頭部の嵌合用の段孔(28)を利用して、天板(１)の角部の下面を受ける円形の角部用天板受け部材(29)の差し込み部(29a)が圧嵌されている。
【００３６】
脚(４)非連結用のコーナー部材(16)における延出部(17)の下面にも、コーナー部材(15)における連結片(23)と同様に、コーナー部材(16)を枠体(２)の角部に固定するためのボルト(24)の先端部が螺合するねじ孔(25)が設けられたリブ(30)が設けられているが、このリブ(30)は、先端に向かって先尖となるように、下面が上向き傾斜している。
【００３７】
コーナー部材(16)における延出部(17)の先端部上面には、天板(１)の角部の下面を受ける上記と同一の角部用天板受け部材(29)の差し込み部(29a)を圧嵌するための受け孔(31)が穿設されている。両コーナー部材(15)(16)に装着した角部用天板受け部材(29)の上面と、他の天板受け部材(10)の上面との高さはすべて等高としてある。
【００３８】
両コーナー部材(15)(16)における各垂下片(19)には、浅い横長方形の凹部(32)が設けられ、その凹部(32)の底壁には、２個のオプション部材取付孔(33)(33)が穿設されている。オプション部材(図示略)を取り付けないときは、オプション部材取付孔(33)(33)と凹部(32)とは、キャップ(34)により閉塞されている。
【００３９】
また、各垂下片(19)の遊端部内側面には、枠体(２)における各角部の近傍の各側面に設けられた上記係合孔(14)に嵌合する係合突片(35)が設けられている。この係合突片(35)における垂下片(19)の角部側の縁は、各コーナー部材(15)(16)を、枠体(２)の角部に、その角部の外側の角度の２等分線の方向から嵌合するとき、その嵌合を妨げないように、延出部(17)の方向と平行をなすように斜切されている。
【００４０】
この実施形態においては、枠体(２)の左側部は、前後２本の脚(４)(４)をもって上述のようにして支持され、また枠体(２)の右側部は、枠体(２)の前後の枠杆(７)における右側部に設けた２個の連結孔(９)(９)に挿通したボルト(36)(36)をもって、袖箱(３)の上面に固着され、袖箱(３)により強固に支持されている。
【００４１】
天板(１)の左右両側近傍の下面には、筒体(37a)の上下の端部に大径鍔(37b)と小径鍔(37c)とが連設された上下方向を向く前後２個ずつのグロメット(37)が、ねじ(38)をもって止着されている。
筒体(37a)の外径は、だるま孔(８)における長孔(8b)の幅とほぼ同一をなし、小径鍔(37c)の外径は、だるま孔(８)における円形孔(8a)より小径で、かつ長孔(8b)の幅より大径としてあり、大径鍔(37b)の外径は、円形孔(8a)より大径としてある。
【００４２】
天板(１)は、４個のグロメット(37)の小径鍔(37c)と筒体(37a)とを、対応する各だるま孔(８)の円形孔(8a)に嵌合し、次いで、天板(１)を後方へ移動させて、筒体(37a)を長孔(8b)内に嵌合し、長孔(8b)の後端に当接させることにより、図２に示すように、枠体(２)が天板(１)の下面のほぼ中央に位置する定位置に保持されるようにしてある。
【００４３】
グロメット(37)における筒体(37a)の長さおよび大径鍔(37b)の厚さ等を、天板受け部材(10)(29)の枠体(２)の上面からの高さ等に基づいて適正に定めておくことにより、天板(１)を定位置としたとき、グロメット(37)と枠体(２)の長孔(8b)の部分との間、および天板(１)の下面と天板受け部材(10)(29)との間の摩擦抵抗により、天板(１)が妄りに前方に移動しないようにしておくのがよい。しかし、必要に応じて、天板(１)の定位置から前方への移動に適度の抵抗力を付与する手段や、天板(１)を定位置に係止する係止手段等を別に設けてもよい。
【００４４】
上述のような抵抗力に抗して、天板(１)を定位置から前方へ移動させることにより、図９に示すように、天板(１)および枠体(２)の後方に、配線作業用の空間(39)を形成することができる。
このときの天板(１)の前方への移動量は、定位置に位置しているときの天板(１)の後端から枠体(２)の後端までの距離とほぼ等しくしておくのが好ましい。そのためには、各だるま孔(８)の長さを上記の距離とほぼ等しくしておくのがよい。
【００４５】
この実施形態のテーブルによると、天板(１)が、４本の枠杆(６)(７)を口の字状に連結して形成した方形の枠体(２)に取付けられているので、天板(１)の剛性が枠体(２)により確保され、天板の剛性を天板のみに頼っていた従来のものより、天板(１)を著しく薄型化することができる。
また、枠体(２)は、４本の枠杆(６)(７)を口の字状に連結することにより完成しているので、その枠体(２)に対して、脚(４)や袖箱(３)等の支持体(５)構成要素を、任意に選択して取付けることができ、それらの組み合わせの変更を簡単に行うことができる。
さらに、枠体(２)は、前後左右の寸法が天板(１)より小さいので、目立たず、体裁がよい。
【００４６】
また、各請求項により特定した構成により、発明の効果として上述したような特有の効果を奏することができる。
【００４７】
上述の実施形態では、枠体(２)の左側部を前後１対の脚(４)(４)により支持し、かつ枠体(２)の右側部を１個の袖箱(３)により支持しているが、例えば、枠体(２)の右側部を、その左側部と左右対称の構造をもって前後１対の脚(４)(４)により支持することによって、４本脚のテーブルとしたり、または、枠体(２)の左側部を、その右側部と左右対称の構造をもって袖箱(３)により支持することによって、両袖のテーブルとしたりすることができ、いずれの場合にも、デザインの統一を図ることができるとともに、そのような変更を、枠体(２)を解体することなく、簡単かつ迅速に行うことができる。
【図面の簡単な説明】
【００４８】
【図１】本発明の一実施形態の分解斜視図である。
【図２】同じく正面図である。
【図３】同じく天板を外したときの概略平面図である。
【図４】図２のIＶ−IＶ線に沿う拡大横断平面図である。
【図５】図４のＶ−Ｖ線に沿う縦断面図である。
【図６】図２のＶI−ＶI線に沿う拡大横断平面図である。
【図７】図６のＶII−ＶII線に沿う縦断面図である。
【図８】天板受け部材の取付状況を示す要部の拡大分解斜視図である。
【図９】天板を前方にずらしたときの概略平面図である。
【符号の説明】
【００４９】
(１)天板
(２)枠体
(３)袖箱
(４)脚
(５)支持体
(６)(７)枠杆
(８)だるま孔
(8a)円形孔
(8b)長孔
(９)連結孔
(10)天板受け部材
(10a)係合爪
(11)取付孔
(12)隅当て材
(13)貫通孔
(14)係合孔
(15)(16)コーナー部材
(17)延出部
(17a)脚取付部
(18)上面板
(19)垂下片
(21)手掛部
(22)差し込み部
(23)連結片
(24)ボルト
(25)ねじ孔
(26)切り欠き
(27)ボルト
(28)段孔
(29)角部用天板受け部材
(29a)差し込み部
(30)リブ
(31)受け孔
(32)凹部
(33)オプション部材取付孔
(34)キャップ
(35)係合突片
(36)ボルト
(37)グロメット
(37a)筒体
(37b)大径鍔
(37c)小径鍔
(38)ねじ
(39)空間
【図１】
2005137709.tif 000003
【図２】
2005137709.tif 000004
【図３】
2005137709.tif 000005
【図４】
2005137709.tif 000006
【図５】
2005137709.tif 000007
【図６】
2005137709.tif 000008
【図７】
2005137709.tif 000009
【図８】
2005137709.tif 000010
【図９】
2005137709.tif 000011